(57)【特許請求の範囲】
【請求項１】
陳列棚の棚板の前縁部におけるカードレールに装着され、表示カードを保持する表示カードホルダーであって、
ホルダー本体が側面視略コ字状に形成されると共に、該棚板のカードレールに係止される脚部を有し、該ホルダー本体の略中央縦方向にカード挿入用の挿入スリットが形成され、該挿入スリットの内側に挟持突部を有する複数の第一挟持部が、該挟持突部を左右両側から位置をずらして向き合わせるように配設され、且つ該第一挟持部の上下両側で該挿入スリットの内側に挟持突部を有する複数の第二挟持部が、該挟持突部を左右両側から位置をずらして向き合わせるように配設され、該複数の第一挟持部の挟持突部と該複数の第二挟持部の挟持突部は該挿入スリット上の中央線を越えて突き出すように形成され、該第二挟持部の挟持突部は略三角柱状に形成されて該挿入スリットの深さ方向と平行に配設され、前記第一挟持部の挟持突部は突条に形成されて該挿入スリットの深さ方向と直角方向に配設されたことを特徴とする表示カードホルダー。
【請求項２】
前記ホルダー本体の正面の両側に第三挟持突部が、該ホルダー本体の正面との間に、該正面と平行に差し込まれた表示カードを保持するように設けられたことを特徴とする請求項１記載の表示カードホルダー。
【発明の詳細な説明】
【０００１】
【発明の属する技術分野】
本発明は、商品陳列棚の棚板の前縁部におけるカードレールに装着して使用され、商品に関する各種情報を表示するポップカード等の表示カードを良好に保持させることができる表示カードホルダーに関する。
【０００２】
【従来の技術】
商品陳列棚に陳列する商品に関する情報を、その場でタイムリーに表示するものとして、所謂ポップカードが使用される。この種のポップカードを保持するカードホルダーとして、陳列棚の棚板の先端部に取り付けられ、そこにポップカード等の表示カードを挿入して表示するカードホルダーが、実開平１−１３９２７３号公報、実開平２−３６８６５号公報等で提案されている。
【０００３】
【発明が解決しようとする課題】
この種の従来の表示カードホルダーは、ホルダー本体が、何れも薄い板状の透明合成樹脂により表示カードを包囲するように形成され、本体の下部又は背部に設けた係止部を、棚板先端のカードレールに係止させ、本体内の表示カードを棚の正面に向けて配置されるものである。
【０００４】
しかし、この種のホルダーは、表示カードを挿入するための挿入空間が非常に薄いために、表示カードをホルダー本体内に挿入しにくく、また、表示カードが棚の正面を向けて配置されるため、その棚の正面位置に立たなければ、表示カードが見にくいという問題があった。
【０００５】
また、表示カードを棚の側面に向けて保持させる表示カードホルダーも開発されているが、棚板の前縁部のカードレールが傾斜して設けられている場合、表示カードホルダーが傾斜して装着され、それによって、表示カードを保持する挟持突部も傾斜することになる。このため、表示カードを傾斜せずにつまり床に対し鉛直に保持させ表示しようとすると、挟持突部に対し表示カードが傾斜した状態となるため、ホルダーの挟持突部の一部でしか挟持できず、表示カードが外れやすいという問題があった。
【０００６】
本発明は、上記の点に鑑みてなされたもので、棚板前縁の傾斜したカードレールに装着された場合でも、表示カードを鉛直に差し込んで確実に保持させることができる表示カードホルダーを提供することを目的とする。
【０００７】
【課題を解決するための手段】
上記目的を達成するために、本発明の表示カードホルダーは、陳列棚の棚板の前縁部におけるカードレールに装着され、表示カードを保持する表示カードホルダーであって、ホルダー本体が側面視略コ字状に形成されると共に、棚板のカードレールに係止される脚部を有し、ホルダー本体の略中央縦方向にカード挿入用の挿入スリットが形成され、挿入スリットの内側に挟持突部を有する複数の第一挟持部が、挟持突部を左右両側から位置をずらして向き合わせるように配設され、且つ第一挟持部の上下両側で挿入スリットの内側に挟持突部を有する複数の第二挟持部が、挟持突部を左右両側から位置をずらして向き合わせるように配設され、複数の第一挟持部の挟持突部と複数の第二挟持部の挟持突部は挿入スリット上の中央線を越えて突き出すように形成され、第二挟持部の挟持突部は略三角柱状に形成されて挿入スリットの深さ方向と平行に配設され、第一挟持部の挟持突部は突条に形成されて挿入スリットの深さ方向と直角方向に配設されたことを特徴とする。
【０００８】
ここで、上記ホルダー本体の正面の両側に、第三挟持突部を、ホルダー本体の正面との間に該正面と平行に差し込まれた表示カードを保持するように設けることができる。
【０００９】
【作用】
このような構成の表示カードホルダーは、陳列棚の棚板前縁のカードレール上に、その脚部を係止して装着され、そのホルダー本体の中央縦方向に設けた挿入スリットに、ポップカード等の表示カードを差し込んで使用する。棚板のカードレールは、斜め上向きに傾斜している場合が多く、そのような場合、そこに装着される表示カードホルダーも傾斜して装着される。
【００１０】
表示カードは、通常、矩形に形成され、そこに記載される文字などもそこに縦書き或いは横書きされるため、表示カードホルダーが傾斜していても、表示カードは床に対し鉛直に保持させる必要がある。そこで、上向きに傾斜した表示カードホルダーに対し、表示カードを鉛直に、つまり傾斜したホルダー本体の挿入スリットに対し、表示カードを傾斜して差し込むことになる。
【００１１】
然るに、このホルダー本体の挿入スリットには、その内側に挿入スリットの深さと直角方向の挟持突部を有する複数の第一挟持部が、挟持突部を左右両側から位置をずらして向き合わせるように配設され、且つ第一挟持部の上下両側で挿入スリットの内側に挿入スリットの深さ方向と平行な挟持突部を有する複数の第二挟持部が、挟持突部を左右両側から位置をずらして向き合わせるように配設されるから、挿入スリットに斜めに差し込まれた表示カードであっても、第一挟持部と第二挟持部における直角関係に位置する両方の挟持突部によって表示カードは挟持される。このため、挿入スリットに対して斜めに差し込まれた表示カードであって、挟持部分が少ない場合であっても、表示カードを確実に安定して保持することができ、表示カードが外れる不具合を防止することができる。
【００１２】
【発明の実施の形態】
以下、本発明の実施の形態を図面に基づいて説明する。図１はポップカード等の表示カードを保持する表示カードホルダー１の正面図を示し、図２はその底面図を示し、図３はその左側面図を示している。この表示カードホルダーのホルダー本体１は、側面視略コ字状に形成されると共に、棚板１０の前縁部のカードレール１１に係止される脚部２を有して構成される。
【００１３】
ホルダー本体１の略中央縦方向にカード挿入用の挿入スリット３が形成され、挿入スリット３の内側に挿入スリット３の深さと直角方向の挟持突部４ａを有する複数の第一挟持部４が、挟持突部４ａを両側から位置をずらして向き合わせるように配設され、且つ第一挟持部４の両側で挿入スリット３の内側に挿入スリット３の深さと平行な挟持突部５ａを有する複数の第二挟持部５が、挟持突部５ａを両側から位置をずらして向き合わせるように配設される。
【００１４】
すなわち、ホルダー本体１は、側面視で略コ字状に合成樹脂により一体成形され、その上部と下部の背面側先端が脚部２として形成され、両方の脚部２は、その上下方向に弾性変形可能であり、その弾性変形により棚板の前縁部のカードレール（モール部分）に装着可能である。
【００１５】
ホルダー本体１の略中央縦方向に形成されるカード挿入用の挿入スリット３は、挿入保持される表示カードＰより十分な厚さ（幅）を持って、ホルダー本体の前面から脚部２の約３／４の深さに形成される。また、挿入スリット３の内側には、一方の側に２本の第一挟持部４が、また他方の側の３本の第一挟持部４が両側から位置をずらして向き合うように、その前面に突条の挟持突部４ａを挿入スリットの深さ方向と直角に設けて配設されている。両側の隣接する第一挟持部４、４の挟持突部４ａ，４ａにおいては、そのスリット内での深さ方向の位置がずらして設けられている。また、ここでは、一方に２本の第一挟持部４が、他方に３本の第一挟持部４が、両側から向き合うように、且つそれらの位置を相互にずらすように設けられているが、その本数は、１本と２本或いは３本と４本に設定することもできる。
【００１６】
挿入スリット３は、図２に示すように、ホルダー本体１の厚さ方向に形成され、この挿入スリット３内に表示カードＰを差し込むことができる。そして、表示カードＰを差し込んだ際、挿入スリット３内部の両側５本の第一挟持部４と両側２対の第二挟持部５によって表示カードＰは挟持されるが、第一挟持部４はホルダー本体１の内部のより深い位置に位置し、第二挟持部５は、中間の深さ位置からより浅い位置に配置されている。
【００１７】
さらに、両側の２対の第二挟持部５の挟持突部５ａは、略三角柱状に形成され、第一挟持部４の挟持突部４ａとは直角関係に、つまり挿入スリット３の深さ方向にそって形成され、三角柱の鋭角先端がスリット内を向くように形成される。また、両側２対の第二挟持部５の挟持突部５ａは、その鋭角先端が挿入スリット３の中央線Ｃを僅かに越えて反対側に突き出すように形成されている。
【００１８】
このように、挿入スリット３内には５本の第一挟持部５が両側から挟持突部５ａを突き出すように設けられると共に、その両側には、２対の第二挟持部５が設けられ、内側の第一挟持部４の挟持突部４ａの先端と両側の第二挟持部５の挟持突部５ａの鋭角先端は、図１に示すように、挿入スリット３の中央線Ｃを越えて反対側に突出する。このため、挿入スリット３内に差し込まれた表示カードＰは、非常に薄いものであっても、両側の挟持突部５ａによって両側から挟持され、さらに、ホルダー本体１の内部では第一挟持部４の挟持突部４ａによっても挟持される構造である。
【００１９】
一方、ホルダー本体１の正面の両側には、第三挟持突部６が上向きに設けられる。この１対の第三挟持突部６は、ホルダー本体１の正面と平行に挿入される表示カードを保持するためのもので、ホルダー本体１の正面との間に表示カードを差し込み保持するように、先端の内側に爪部が形成されている。また、この第三挟持突部６が対向する部分の正面には開口部が形成され、この開口部に第三挟持突部６の先端の爪部が進入している。
【００２０】
このように構成された表示カードホルダーは、図５に示すように、商品陳列棚の棚板１０の前縁部におけるカードレール１１に、その脚部２を係止させて装着され、ポップカードなどの表示カードＰを側方に向けて表示するように保持させる。カードレール１１はモール部ともなるもので、上部と下部にカードなどを係止する係止部を備え、その係止部に脚部２が係止されて、ホルダー本体１は装着される。
【００２１】
表示カードＰは、商品情報を記した紙の表裏を、例えばフィルムでラミネートして形成され、商品を陳列した陳列棚の棚板のカードレールに装着したホルダー本体１の挿入スリット３内に差し込んで装着される際、十分な強度を有するように形成されている。
【００２２】
棚板１０は、図５に示すごとく、その前縁部のカードレール１１が、鉛直状態で正面を向くのではなく、上方に傾斜して形成されている。したがって、表示カードホルダーのホルダー本体１は、正しくその上部と下部の脚部２をカードレール１１の上部と下部に弾性変形させながら係止すると、その前面は鉛直状態ではなく、上向きに傾斜して装着されることになる。
【００２３】
しかしながら、ポップカードなどの表示カードＰは、一般に、床に対し鉛直につまり矩形の表示カードの縦辺部が棚板１０の平面と垂直になるように、装着したい場合が多い。このような場合、図５に示すように、表示カードＰを鉛直に配置しながら、その下角部または背面側の縁部をホルダー本体１の挿入スリット３内に差し込む。
【００２４】
このとき、表示カードＰの縁部をホルダー本体１の挿入スリット３内に差し込んで、表示カードＰを保持させるが、ホルダー本体１には、その挿入スリット３の内部に５本の第一挟持部４が両側から位置をずらして向かい合うように配設され、その両側には２対の第二挟持部５が同様に設けられている。
【００２５】
このため、挿入スリット３内に差し込まれた表示カードＰは、鉛直に差し込まれ、ホルダー本体１に対して傾斜して差し込まれた場合であっても、ホルダーの内部で第一挟持部４の両側の挟持突部４ａ，４ａにより挟持されると共に、それより少し上部を第二挟持部５の挟持突部５ａ，５ａによって縁部が確実に挟持されることとなる。
【００２６】
すなわち、このホルダー本体１の挿入スリット３には、その内側に挿入スリット３の深さと直角方向の挟持突部４ａを有する５本の第一挟持部４が、挟持突部４ａを両側から位置をずらして向き合わせるように配設され、且つ第一挟持部４の両側で挿入スリット３の内側に挿入スリット３の深さと平行な挟持突部５ａを有する２対の第二挟持部５が、挟持突部５ａを両側から位置をずらして向き合わせるように配設されるから、挿入スリット３に斜めに差し込まれた表示カードＰであっても、第一挟持部４と第二挟持部５における直角関係に位置する両方の挟持突部４ａ，５ａによって表示カードＰは挟持される。
【００２７】
このため、挿入スリット３に対して斜めに差し込まれた表示カードＰであって、挟持部分が少ない場合であっても、表示カードＰを確実に安定して保持することができ、表示カードが外れる不具合を防止することができる。これにより、表示カードを鉛直状態で保持させることができる。
【００２８】
また、表示カードＰは、５本の第一挟持部４と２対の第二挟持部５ａ，５ａにより挟持され、大きな抜け耐力を持たせることができるから、容易に外れたり、位置がずれたりすることを防止することができる。
【００２９】
このように、表示カードホルダーに保持された表示カードＰは、陳列棚の棚板１０の前方に側方を向けて突き出すように且つ床に対し鉛直に表示・保持され、上記のように、棚板１０の前縁部のカードレール１１が傾斜している場合であっても、表示カードＰを良好な鉛直な状態で確実に保持させることができる。
【００３０】
【発明の効果】
以上説明したように、本発明の表示カードホルダーによれば、ホルダー本体の挿入スリットには、その内側に挿入スリットの深さと直角方向の挟持突部を有する複数の第一挟持部が、挟持突部を両側から位置をずらして向き合わせるように配設され、且つ第一挟持部４の両側で挿入スリットの内側に挿入スリットの深さと平行な挟持突部を有する複数の第二挟持部が、挟持突部を両側から位置をずらして向き合わせるように配設されるから、挿入スリットに斜めに差し込まれた表示カードであっても、第一挟持部と第二挟持部の両方の挟持突部によって表示カードは挟持される。このため、陳列棚の棚板の前縁部に傾斜して設けられたカードレールに表示カードホルダーが装着され、表示カードホルダーが傾斜して装着された場合であっても、表示カードを鉛直につまり挿入スリットに対して斜めに差し込んだ場合、表示カードは、第一挟持部と第二挟持部の両方の挟持突部によって挟持され、それを確実に安定して保持させることができ、表示カードが斜めになったり、外れてしまう不具合を防止することができる。
【図面の簡単な説明】
【図１】本発明の一実施形態を示す表示カードホルダーの正面図である。
【図２】同ホルダーの底面図である。
【図３】同ホルダーの左側面図である。
【図４】図１の中央縦線において右側を見た場合の一部断面つき矢視図である。
【図５】図１の中央縦線において左側を見た場合の一部断面つき矢視図である。
【図６】表示カードを装着した状態の左側面図である。
【符号の説明】
１−ホルダー本体
２−脚部
３−挿入スリット
４−第一挟持部
４ａ―挟持突部
５−第二挟持部
５ａ―挟持突部
６−第三挟持突部
１０−棚板
１１−カードレール
Ｐ−表示カード
【図１】
0003902474.tif 000002
【図２】
0003902474.tif 000003
【図３】
0003902474.tif 000004
【図４】
0003902474.tif 000005
【図５】
0003902474.tif 000006
【図６】
0003902474.tif 000007